【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
基地局の送信経路をキャリブレートする方法であって、
予め定義された波形を生成することと、
前記予め定義された波形をキャリブレーションシンボルに挿入することと、
サブフレームを構築することと、ここにおいて、前記キャリブレーションシンボルは、前記サブフレームのデータシンボルに置き換わる、
ダウンリンクチャネルにおいて前記基地局からユーザ機器に前記サブフレームを送信することと、
前記基地局において、専用のフィードバック受信経路を通じて、前記キャリブレーションシンボルを備える前記サブフレームの少なくとも一部を受信することと、
前記受信されたキャリブレーションシンボルに少なくとも部分的に基づいて前記基地局の前記送信経路をキャリブレートすることと、
を備える方法。
【請求項２】
前記送信経路をキャリブレートすることは、
前記受信されたキャリブレーションシンボルに少なくとも部分的に基づいて、送信経路の障害を推定することと、
前記送信経路の障害に少なくとも部分的に基づいて、補償値を決定することと、
前記補償値に少なくとも部分的に基づいて、前記基地局の前記送信経路をキャリブレートすることと、
を備える、請求項１に記載の方法。
【請求項３】
前記専用のフィードバック受信経路を通じて、前記ダウンリンクチャネルにおける送信を監視すること
をさらに備える、請求項１に記載の方法。
【請求項４】
前記サブフレームの制御シンボルを送信すること、ここで、前記制御シンボルは、ダウンリンク基準信号及びダウンリンク制御チャネルのうちの一方又は両方に関連付けられている、
をさらに備え、
前記方法は、特に、
ダウンリンク基準信号を備える少なくとも３つの追加のシンボルを送信することをさらに備え、
または、特に、前記ダウンリンク制御チャネルは、物理ダウンリンク制御チャネル（ＰＤＣＣＨ）、物理制御フォーマットインジケータチャネル（ＰＣＦＩＣＨ）、又は物理ハイブリッド自動要求インジケータチャネル（ＰＨＩＣＨ）のうちの少なくとも１つを備える、
請求項１に記載の方法。
【請求項５】
前記サブフレームの期間中にダウンリンクリソースのゼロ割当てを前記モバイルデバイスにシグナリングするために、前記サブフレームの制御シンボルを送信すること
をさらに備え、
または、前記方法は、
メディアアクセス制御（ＭＡＣ）層において、前記サブフレームの期間中にモバイルデバイスにダウンリンクデータを送信することと、
物理（ＰＨＹ）層において、前記ダウンリンクデータを、前記予め定義された波形で置き換えることと、
をさらに備え、
前記方法は、特に、
否定応答（ＮＡＣＫ）を受信することと、
前記ＭＡＣ層において、ハイブリッド自動再送要求（ＨＡＲＱ）手順に従って前記ダウンリンクデータを再送信することと、
をさらに備える、
請求項１に記載の方法。
【請求項６】
前記予め定義された波形は、
最大有効チャネルバンド幅にわたる、電力増幅器の最大送信電力信号の表現を備え、
前記方法は、特に、
前記電力増幅器の線形化のためのデジタルプリディストーション係数を推定するために、前記予め定義された波形を使用すること、をさらに備える、
請求項１に記載の方法。
【請求項７】
前記予め定義された波形は、
前記送信経路の同相／直交（Ｉ／Ｑ）インバランスを推定するためのアプリオリトーンを備え、
前記方法は、特に、
前記送信経路内の、前記Ｉ／Ｑインバランスによって引き起こされる画像を推定するために、前記予め定義された波形を使用することと、
前記推定された画像に少なくとも部分的に基づいて前記Ｉ／Ｑインバランスを推定することと、
をさらに備える、
請求項１に記載の方法。
【請求項８】
前記波形の第１のスロットの期間中に、前記基地局の第１のアンテナの第１の送信経路をキャリブレートすることと、ここで、前記第１のスロットは、前記第１のアンテナの前記第１の送信経路をキャリブレートするために、第１の予め定義された波形を搬送するためのキャリブレーションシンボルを備える、
前記波形の第２のスロットの期間中に、前記基地局の第２のアンテナの第２の送信経路をキャリブレートすることと、ここで、前記第２のスロットは、前記第２のアンテナの前記第２の送信経路をキャリブレートするために、第２の予め定義された波形を搬送するためのキャリブレーションシンボルを備える、
をさらに備える、請求項１に記載の方法。
【請求項９】
基地局の送信経路をキャリブレートする装置であって、
予め定義された波形を生成する手段と、
前記予め定義された波形をキャリブレーションシンボルに挿入する手段と、
サブフレームを構築する手段と、ここにおいて、前記キャリブレーションシンボルは、前記サブフレームのデータシンボルに置き換わる、
ダウンリンクチャネルにおいて前記基地局からユーザ機器に前記サブフレームを送信する手段と、
前記基地局において、専用のフィードバック受信経路を通じて、前記キャリブレーションシンボルを備える前記サブフレームの少なくとも一部を受信する手段と、
前記受信されたキャリブレーションシンボルに少なくとも部分的に基づいて前記基地局の前記送信経路をキャリブレートする手段と、
を備える、装置。
【請求項１０】
前記専用のフィードバック受信経路を通じて、前記ダウンリンクチャネルにおける送信を監視する手段をさらに備える、
請求項９に記載の装置。
【請求項１１】
前記様々な手段は、前記送信経路をキャリブレートするように構成された前記基地局内に組み込まれ、前記基地局は、
プロセッサと、
前記プロセッサと電子的に通信するメモリと、
前記メモリに記憶された命令と、を備え、前記命令は、
予め定義された波形を生成することと、
前記予め定義された波形をキャリブレーションシンボルに挿入することと、
サブフレームを構築することと、ここにおいて、前記キャリブレーションシンボルは、前記サブフレームのデータシンボルに置き換わる、
ダウンリンクチャネルにおいて前記基地局からユーザ機器に前記サブフレームを送信することと、
前記基地局において、専用のフィードバック受信経路を通じて、前記キャリブレーションシンボルを備える前記サブフレームの少なくとも一部を受信することと、
前記受信されたキャリブレーションシンボルに少なくとも部分的に基づいて前記送信経路をキャリブレートすることと、
を行うように前記プロセッサによって実行可能である、
請求項９に記載の装置。
【請求項１２】
前記送信経路をキャリブレートすることは、
前記受信されたキャリブレーションシンボルに少なくとも部分的に基づいて、送信経路の障害を推定することと、
前記送信経路の障害に少なくとも部分的に基づいて、補償値を決定することと、
前記補償値に少なくとも部分的に基づいて、前記基地局の前記送信経路をキャリブレートすることと、
を備える、請求項１１に記載の装置。
【請求項１３】
前記命令は、
前記サブフレームの期間中にダウンリンクリソースのゼロ割当てを前記モバイルデバイスにシグナリングするために、前記サブフレームの制御シンボルを送信することを行うように、前記プロセッサによって実行可能である、
または、前記命令は、
メディアアクセス制御（ＭＡＣ）層において、前記サブフレームの期間中にモバイルデバイスにダウンリンクデータを送信することと、
物理（ＰＨＹ）層において、前記ダウンリンクデータを、前記予め定義された波形で置き換えることと、
を行うように、前記プロセッサによって実行可能である、
請求項１１に記載の装置。
【請求項１４】
前記予め定義された波形は、
前記送信経路の同相／直交（Ｉ／Ｑ）インバランスを推定するためのアプリオリトーンを備え、
または、前記予め定義された波形は、
最大有効チャネルバンド幅にわたる、電力増幅器の最大送信電力信号の表現を備え、
特に、前記命令は、
前記電力増幅器の線形化のためのデジタルプリディストーション係数を推定するために、前記予め定義された波形を使用することを行うように、前記プロセッサによって実行可能である、
請求項１１に記載の装置。
【請求項１５】
コンピュータ上で実行されたときに請求項１から請求項８のうちのいずれか一項に記載の方法を実施するための命令を備える、コンピュータプログラム。